(57)【要約】【課題】構成部材を削減すると共に、シャワーバーへの取付を容易にし、かつ、操作が容易なシャワーフックを提供すること。【解決手段】シャワーヘッドホルダ１１と、シャワーバー２を抱持する取付部１２が設けられるシャワーフック本体１０内に設けられるロック機構３０は、回動可能であって、シャワーバーに対向する垂直片３１ａを具備するばね受け部材３１と、ばね受け部材の垂直片に設けられ、シャワーバーに接離移動可能なブレーキ片３３ａを設けるスライド部材３３と、スライド部材とシャワーフック本体の前方側との間に介設されてブレーキ片をシャワーバーに押圧するコイルばね３４と、シャワーフック本体の外面に出没可能に設けられると共に、シャワーフック本体内への押し込みによってばね受け部材の回動によってばね部材を座屈変形させてブレーキ片の押圧を解除する操作ボタン３５と、を具備する。【選択図】図５
2018021381.tif 000002
【特許請求の範囲】
【請求項１】
浴室等の壁面に設けられるシャワーバーに沿って高さ調整可能に設けられるシャワーフックであって、
前方端にシャワーヘッドホルダが設けられ、後方端に上記シャワーバーの外周面を抱持する取付部が設けられるシャワーフック本体と、
上記シャワーフック本体内に設けられ、上記シャワーフック本体を上記シャワーバーの任意の位置でロックするロック機構と、を具備し、
上記ロック機構は、
上記シャワーバーに対して接離方向に回動可能であって、上記シャワーバーに対向する垂直片を具備するばね受け部材と、
上記ばね受け部材の上記垂直片に設けられ、上記シャワーバーに接離移動可能なブレーキ片を有するスライド部材と、
上記スライド部材と上記シャワーフック本体の前方側との間に介設されて上記ブレーキ片を上記シャワーバーに押圧するばね部材と、
上記シャワーフック本体の外面に出没可能に設けられると共に、シャワーフック本体内への押し込みによって上記ばね受け部材の回動によって上記ばね部材を座屈変形させて上記ブレーキ片の押圧を解除する操作ボタンと、を具備する、
ことを特徴とするシャワーフック。
【請求項２】
浴室等の壁面に設けられるシャワーバーに沿って高さ調整可能に設けられるシャワーフックであって、
前方端にシャワーヘッドホルダが設けられ、後方端に上記シャワーバーの外周面を抱持する取付部が設けられるシャワーフック本体と、
上記シャワーフック本体と共働して上記シャワーバーの外周面を抱持するカバー体と、
上記シャワーフック本体内に設けられ、上記シャワーフック本体を上記シャワーバーの任意の位置でロックするロック機構と、を具備し、
上記ロック機構は、上記シャワーバーの外周に当接可能なブレーキ片と、該ブレーキ片を上記シャワーバーに押圧するばね部材と、上記ブレーキ片の押圧を解除する操作ボタンと、を具備し、
上記カバー体は、上記シャワーバーの外周面を抱持する後方半円筒部と、該後方半円筒部の開口側前方端に延在して上記シャワーヘッド本体とシャワーヘッドホルダを覆うと共に、上記シャワーフック本体に係脱可能な一対の腕部を具備し、上記後方半円筒部内面に、上記シャワーバーの外周面に当接可能な後方ブレーキ片と背当て部材が設けられ、上記後方ブレーキ片は平面視円弧状の弾性部材にて形成され、シャワーフック静止状態では上記シャワーバーに当接し、上記背当て部材は上記後方ブレーキ片の円弧の仮想曲線よりも内側に突出し、かつ、上記ブレーキ片の押圧により外側に弾性変形可能に形成され、上記操作ボタンの押し込みにより上記ブレーキ片が前方に移動した状態で上記後方ブレーキ片が上記シャワーバーから離れるように形成してなる、
ことを特徴とするシャワーフック。
【請求項３】
請求項２に記載のシャワーフックにおいて、
上記ロック機構は、
上記シャワーバーに対して接離方向に回動可能であって、上記シャワーバーに対向する垂直片を具備するばね受け部材と、
上記ばね受け部材の上記垂直片に設けられ、上記シャワーバーに接離移動可能な上記ブレーキ片を有するスライド部材と、
上記スライド部材と上記シャワーフック本体の前方側との間に介設されて上記ブレーキ片を上記シャワーバーに押圧する上記ばね部材と、
上記シャワーフック本体の外面に出没可能に設けられると共に、シャワーフック本体内への押し込みによって上記ばね受け部材の回動によって上記ばね部材を座屈変形させて上記ブレーキ片の押圧を解除する上記操作ボタンと、を具備する、
ことを特徴とするシャワーフック。
【請求項４】
請求項１又は２に記載のシャワーフックにおいて、
上記シャワーヘッドホルダは、前方端が開口する上方に向かって拡開テーパ状のシャワーヘッド保持部と、該シャワーヘッド保持部の後方端に設けられた挿通孔を介してシャワーヘッド保持部内に突出するシャワーヘッド係止部材とを具備し、上記シャワーヘッド係止部材と上記スライド部材との間に上記ばね部材を介設してなる、ことを特徴とするシャワーフック。
【請求項５】
請求項１又は３に記載のシャワーフックにおいて、
上記ばね受け部材は、上記垂直片と、該垂直片の下端に延在する水平片との交差部の下部に回動支点部が設けられ、上記ロック機構は、上記シャワーフック本体の上部に設けられた開口を介して出没可能な操作ボタンの下部に、上記ばね受け部材に係合可能な操作脚部が設けられ、上記操作ボタンを押し込むことで、上記操作脚部が上記ばね受け部材に当接し、上記回動支点部を支点として上記ばね受け部材を回動させると共に、上記ばね部材を座屈変形させて上記ブレーキ片の押圧を解除するように形成してなる、ことを特徴とするシャワーフック。
【請求項６】
請求項２に記載のシャワーフックにおいて、
上記カバー体の腕部の内面に係止爪部が設けられ、上記取付部の外側面に上記係止爪部を案内する案内溝と、上記係止爪部が係脱可能な係止凹部が設けられている、ことを特徴とするシャワーフック。
【発明の詳細な説明】
【技術分野】
【０００１】
この発明は、例えば、浴室等の壁面に設けられるシャワーバーに沿って高さ調整可能に設けられるシャワーフックに関するものである。
【背景技術】
【０００２】
従来、この種のシャワーフックとして、シャワーバーに沿ってスライド可能なホルダに組み込まれた操作部材を、ばね部材の付勢力に抗して操作することで、シャワーバーに圧接するロック部材のロック状態を解除するものが知られている（例えば、特許文献１参照）。
【０００３】
特許文献１に記載のものは、上記操作部材をばね部材の付勢力に抗して操作することで、方向変換機構を介してシャワーバーに圧接されたロック部材のロック状態を解除する構造である。
【先行技術文献】
【特許文献】
【０００４】
【特許文献１】特開２０１４−９５６８号公報（特許請求の範囲、図３，図４）
【発明の概要】
【発明が解決しようとする課題】
【０００５】
しかしながら、特許文献１に記載のものにおいては、操作部材とロック部材との間に方向変換機構を介在させるため、構成部材が多くなり構造が複雑であり、シャワーバーへの取付が面倒である。
また、操作部材をばね部材の付勢力に抗して操作するため、大きな力を要するなどの懸念がある。
【０００６】
この発明は、上記事情に鑑みてなされたもので、構成部材を削減すると共に、シャワーバーへの取付を容易にし、かつ、操作が容易なシャワーフックを提供することを課題とする。
【課題を解決するための手段】
【０００７】
上記課題を解決するため、この発明の第１のシャワーフックは、浴室等の壁面に設けられるシャワーバーに沿って高さ調整可能に設けられるシャワーフックであって、  前方端にシャワーヘッドホルダが設けられ、後方端に上記シャワーバーの外周面を抱持する取付部が設けられるシャワーフック本体と、  上記シャワーフック本体内に設けられ、上記シャワーフック本体を上記シャワーバーの任意の位置でロックするロック機構と、を具備し、  上記ロック機構は、上記シャワーバーに対して接離方向に回動可能であって、上記シャワーバーに対向する垂直片を具備するばね受け部材と、上記ばね受け部材の上記垂直片に設けられ、上記シャワーバーに接離移動可能なブレーキ片を有するスライド部材と、上記スライド部材と上記シャワーフック本体の前方側との間に介設されて上記ブレーキ片を上記シャワーバーに押圧するばね部材と、上記シャワーフック本体の外面に出没可能に設けられると共に、シャワーフック本体内への押し込みによって上記ばね受け部材の回動によって上記ばね部材を座屈変形させて上記ブレーキ片の押圧を解除する操作ボタンと、を具備することを特徴とする（請求項１）。
【０００８】
このように構成することにより、静止状態では、ばね部材の付勢力によってスライド部材をシャワーバー側に移動してブレーキ片をシャワーバーに圧接してシャワーフックをロックする。また、シャワーフックを移動させる場合は、操作ボタンを押し込むことで、ばね部材が座屈変形してブレーキ片がシャワーバーから離れてロック状態が解除される。
【０００９】
この発明の第２のシャワーフックは、浴室等の壁面に設けられるシャワーバーに沿って高さ調整可能に設けられるシャワーフックであって、  前方端にシャワーヘッドホルダが設けられ、後方端に上記シャワーバーの外周面を抱持する取付部が設けられるシャワーフック本体と、  上記シャワーフック本体と共働して上記シャワーバーの外周面を抱持するカバー体と、  上記シャワーフック本体内に設けられ、上記シャワーフック本体を上記シャワーバーの任意の位置でロックするロック機構と、を具備し、  上記ロック機構は、上記シャワーバーの外周面に当接可能なブレーキ片と、該ブレーキ片を上記シャワーバーに押圧するばね部材と、上記ブレーキ片の押圧を解除する操作ボタンと、を具備し、  上記カバー体は、上記シャワーバーの外周面を抱持する後方半円筒部と、該後方半円筒部の開口側前方端に延在して上記シャワーヘッド本体とシャワーヘッドホルダを覆うと共に、上記シャワーフック本体に係脱可能な一対の腕部を具備し、上記後方半円筒部内面に、上記シャワーバーの外周面に当接可能な後方ブレーキ片と背当て部材が設けられ、上記後方ブレーキ片は平面視円弧状の弾性部材にて形成され、シャワーフック静止状態では上記シャワーバーに当接し、上記背当て部材は上記後方ブレーキ片の円弧の仮想曲線よりも内側に突出し、かつ、上記ブレーキ片の押圧により外側に弾性変形可能に形成され、上記操作ボタンの押し込みにより上記ブレーキ片が前方に移動した状態で上記後方ブレーキ片が上記シャワーバーから離れるように形成してなる、ことを特徴とする（請求項２）。
【００１０】
このように構成することにより、シャワーヘッド本体とカバー体とは着脱可能に形成されているので、既設のシャワーバーに後付けすることができる。また、静止状態では、ばね部材の付勢力によってブレーキ片をシャワーバーの前方側面に圧接すると共に、後方ブレーキ片をシャワーバーの後方側面に圧接してシャワーフックをロックする。また、シャワーフックを移動させる場合は、操作ボタンによってブレーキ片の押圧を解除してロック状態が解除される。
【００１１】
請求項２に記載の発明において、  上記ロック機構は、  上記シャワーバーに対して接離方向に回動可能であって、上記シャワーバーに対向する垂直片を具備するばね受け部材と、  上記ばね受け部材の上記垂直片に設けられ、上記シャワーバーに接離移動可能な上記ブレーキ片を有するスライド部材と、  上記スライド部材と上記シャワーフック本体の前方側との間に介設されて上記ブレーキ片を上記シャワーバーに押圧する上記ばね部材と、  上記シャワーフック本体の外面に出没可能に設けられると共に、シャワーフック本体内への押し込みによって上記ばね受け部材の回動によって上記ばね部材を座屈変形させて上記ブレーキ片の押圧を解除する上記操作ボタンと、を具備するのが好ましい（請求項３）。
【００１２】
このように構成することにより、既設のシャワーバーに後付けしたシャワーフックにおいて、静止状態では、ばね部材の付勢力によってスライド部材をシャワーバー側に移動してブレーキ片をシャワーバーの前方側面に圧接すると共に、後方ブレーキ片をシャワーバーの後方側面に圧接してシャワーフックをロックする。また、シャワーフックを移動させる場合は、操作ボタンを押し込むことで、ばね部材が座屈変形してブレーキ片がシャワーバーの前面側から離れると共に、後方ブレーキ片がシャワーバーの後方側面から離れてロック状態が解除される。
【００１３】
請求項４に記載の発明は、請求項１又は２に記載のシャワーフックにおいて、上記シャワーヘッドホルダは、前方端が開口する上方に向かって拡開テーパ状のシャワーヘッド保持部と、該シャワーヘッド保持部の後方端に設けられた挿通孔を介してシャワーヘッド保持部内に突出するシャワーヘッド係止部材とを具備し、上記シャワーヘッド係止部材と上記スライド部材との間に上記ばね部材を介設してなる、ことを特徴とする。
【００１４】
このように構成することにより、ブレーキ片のシャワーバー側への付勢力と、シャワーヘッド係止部材のシャワーヘッドを保持する付勢力とを１つのばね部材にて兼用することができる。
【００１５】
請求項５に記載の発明は、請求項１又は３に記載のシャワーフックにおいて、上記ばね受け部材は、上記垂直片と上記水平片の交差部の下部に回動支点部が設けられ、上記ロック機構は、上記シャワーフック本体の上部に設けられた開口を介して出没可能な操作ボタンの下部に、上記ばね受け部材に係合可能な操作脚部が設けられ、上記操作ボタンを押し込むことで、上記操作脚部が上記ばね受け部材に当接し、上記回動支点部を支点として上記ばね受け部材を回動させると共に、上記ばね部材を座屈変形させて上記ブレーキ片の押圧を解除するように形成してなる、ことを特徴とする。
【００１６】
このように構成することにより、操作ボタンの押し込みによってばね受け部材が回動してばね部材が座屈変形した際、ばね部材の座屈変形に追従してブレーキ片をシャワーバーから速やかに離すことができる。
【００１７】
請求項６に記載の発明は、請求項２に記載のシャワーフックにおいて、上記カバー体の腕部の内面に係止爪部が設けられ、上記取付部の外側面に上記係止爪部を案内する案内溝と、上記係止爪部が係脱可能な係止凹部が設けられている、ことを特徴とする。
【００１８】
このように構成することにより、シャワーフック本体の取付部をシャワーバーの前方側面に取り付けた状態で、カバー体の腕部の内面に設けられた係止突起を、シャワーフック本体の外側面に設けられた案内溝に沿って移動して係止凹部に係合させることで、シャワーフック本体とカバー体をシャワーバーに取り付けることができる。
【発明の効果】
【００１９】
この発明によれば、上記のように構成されているので、以下のような優れた効果が得られる。
【００２０】
（１）請求項１に記載の発明によれば、ばね部材の付勢力によってブレーキ片をシャワーバーに圧接してシャワーフックをロックし、操作ボタンを押し込むことで、ばね部材が座屈変形してブレーキ片がシャワーバーから離れてロック状態が解除されるので、構成部材を削減すると共に、シャワーバーへの取付を容易にし、かつ、ばね部材の付勢力より弱い力によって容易に操作できる。
【００２１】
（２）請求項２，３に記載の発明によれば、ブレーキ片と後方ブレーキ片とでシャワーバーを挟持してロックするので、上記（１）に加えて更にロックを強固にすることができる。また、シャワーヘッド本体とカバー体とは着脱可能に形成されているので、既設のシャワーバーに後付けすることができる。
【００２２】
（３）請求項４に記載の発明によれば、ブレーキ片のシャワーバー側への付勢力と、シャワーヘッド係止部材のシャワーヘッドを保持する付勢力とを１つのばね部材にて兼用することができるので、上記（１），（２）に加えて、更に構成部材の削減が図れる。
【００２３】
（４）請求項５に記載の発明によれば、操作ボタンの押し込みによってばね受け部材が回動してばね部材が座屈変形した際、ばね部材の座屈変形に追従してブレーキ片をシャワーバーから速やかに離すことができるので、上記（１）〜（３）に加えて、更に操作を容易にすることができる。
【００２４】
（５）請求項６に記載の発明によれば、カバー体の腕部の内面に設けられた係止突起を、シャワーフック本体の外側面に設けられた案内溝に沿って移動して係止凹部に係合させることで、シャワーフック本体とカバー体をシャワーバーに取り付けることができるので、上記（２）に加えて、更にシャワーバーへの取付を容易かつ確実にすることができる。
【図面の簡単な説明】
【００２５】
【図１】この発明に係るシャワーフックの使用状態を示す要部斜視図である。
【図２】この発明におけるシャワーフック本体とカバー体を示す分解斜視図である。
【図３】この発明におけるシャワーフック本体、シャワーヘッドホルダ、ロック機構、操作ボタン、カバー体を示す分解斜視図である。
【図３Ａ】この発明におけるシャワーフック本体とロック機構の構成部材を示す分解斜視図である。
【図４】この発明に係るシャワーフックのロック状態を示す横断面図（ａ）及び縦断面図（ｂ）である。
【図５】この発明に係るシャワーフックのロック解除状態を示す横断面図（ａ）及び縦断面図（ｂ）である。
【図６】この発明におけるシャワーフック本体とシャワーヘッドの取付前の状態を示す概略平面図（ａ）及び取付状態を示す概略平面図（ｂ）である。
【図７】この発明におけるシャワーフック本体とシャワーヘッドの間違った取付前の状態を示す概略平面図（ａ）及び取付不可の状態を示す概略平面図（ｂ）である。
【発明を実施するための形態】
【００２６】
以下に、この発明に係るシャワーフックの実施形態を添付図面に基づいて詳細に説明する。
【００２７】
この発明に係るシャワーフック１は、図１及び図２に示すように、浴室の壁面に設けられるシャワーバー２に沿って高さ調整可能に設けられる。
【００２８】
シャワーフック１は、前方端にシャワーヘッドホルダ１１が設けられ、後方端にシャワーバー２の外周面を抱持する取付部１２が設けられるシャワーフック本体１０と、シャワーフック本体１０と共働してシャワーバー２の外周面を抱持するカバー体２０と、シャワーフック本体１０内に設けられ、シャワーフック本体１０をシャワーバー２の任意の位置でロックするロック機構３０と、を具備している。ここで、前方とはシャワーバー２の軸線に対して直交し、シャワーバー２から遠ざかる方向をいい、後方とはその反対の方向をいう。
【００２９】
シャワーフック本体１０は、図３及び図３Ａに示すように、２分割された例えばＡＢＳ樹脂製のフック半体１３ａ，１３ｂからなり、両フック半体１３ａ，１３ｂが共働して、後方端にシャワーバー２の外周面を抱持する平面視半円弧状の取付面１２ａを有する取付部１２が設けられ、前方端にシャワーヘッドホルダ１１を取り付けるホルダ保持部１４が設けられている。
【００３０】
フック半体１３ａ，１３ｂは、図３及び図３Ａに示すように、取付部１２とホルダ保持部１４とを連結する基部１５を有しており、基部１５は、上片１５ａと側片１５ｂ及び下片１５ｃとからなる断面コ字状に形成されている。この場合、上片１５ａには、操作ボタン３５が収容可能な矩形状の凹部１５ｄが設けられている。また、側片１５ｂの前方端には凹円弧状の保持案内面１２ｂが設けられ、保持案内面１２ｂの前方にホルダ保持部１４が延在している。ホルダ保持部１４は、両フック半体１３ａ，１３ｂの側片１５ｂから前方に向かって延在する先端に凸状円弧部１４ａを有する一対の保持板１４ｂにて形成されており、保持板１４ｂの凸状円弧部１４ａには保持孔１４ｃが設けられている。
【００３１】
また、側片１５ｂの上部側には対向する方向に突出する突軸１６ａが設けられ、側片１５ｂの後方側内面と下片１５ｃの上面にはＬ字状の補強リブ１６ｂが設けられ、側片１５ｂの前方側下端と下片１５ｃの上面には固定ねじ受け部１６ｃが設けられている。
【００３２】
なお、両フック半体１３ａ，１３ｂの取付部側とホルダ保持部側の接合面において、フック半体１３ａ側には凸起１５ｆが設けられ、フック半体１３ｂ側には、凸起１５ｆと嵌合可能な凹部１５ｇが設けられている。これにより、フック半体１３ａ，１３ｂを一体化する際の位置決めが容易になる。
【００３３】
また、フック半体１３ａ，１３ｂの外側面における取付部側には、ほぼ全高にわたって垂直溝１７ａが設けられると共に、取付部側端部からホルダ保持部側に向かって垂直溝１７ａと直交する水平の案内溝１７ｂが設けられ、かつ、案内溝１７ｂの前方端に係止凹部１７ｃが設けられている。
【００３４】
上記のように形成される両フック半体１３ａ，１３ｂは、突軸１６ａ同士と固定ねじ受け部１６ｃ同士を当接した状態で、一方の突軸１６ａを貫通する固定ねじ１８ａを他方の突軸１６ａにねじ結合すると共に、一方の固定ねじ受け部１６ｃを貫通する固定ねじ１８ｂを他方の固定ねじ受け部１６ｃにねじ結合することによって固定される。
【００３５】
次にロック機構３０について説明する。ロック機構３０は、図３〜図５に示すように、シャワーバー２に対して接離方向に回動可能であって、シャワーバー２に対向する垂直片３１ａと、該垂直片３１ａの下端に延在する水平片３１ｂを具備するばね受け部材３１と、ばね受け部材３１の垂直片３１ａに設けられた挿通孔３２を介してシャワーバー２に接離移動可能なブレーキ片３３ａ及びブレーキ片３３ａの前方端に突設されたばね受け係合突起３３ｂを設けるスライド部材３３と、スライド部材３３とシャワーフック本体１０の前方側に設けられるシャワーヘッド係止部材４２との間に介設されてブレーキ片３３ａをシャワーバー２に押圧するばね部材である圧縮コイルばね３４（以下にコイルばね３４という）と、シャワーフック本体１０の外面に出没可能に設けられると共に、シャワーフック本体１０内への押し込みによってばね受け部材３１の回動によってコイルばね３４を座屈変形させてブレーキ片３３ａの押圧を解除する操作ボタン３５と、を具備している。なお、ブレーキ片３３ａとばね受け係合突起３３ｂは合成ゴムにて一体に形成されている。
【００３６】
この場合、ばね受け部材３１は、垂直片３１ａと水平片３１ｂの交差部の下部に回動支点部３１ｃが設けられている。なお、回動支点部３１ｃは、前後方向と直交する方向のばね受け部材３１の全幅にわたって設けられており、補強リブ１６ｂの下部上面に載置される。
【００３７】
また、操作ボタン３５は、シャワーフック本体１０の上片１５ａの凹部１５ｄ内に収容可能な矩形状のボタン本体３５ａの下部に、凹部１５ｄに設けられた開口１５ｅを介して出没可能な一対の操作脚部３５ｂが設けられている。なお、操作脚部３５ｂには、シャワーフック本体１０の突軸１６ａとの干渉を避けるために、突軸１６ａを遊嵌する長孔３５ｃが設けられている。
【００３８】
上記のように構成された操作ボタン３５を押し込むことで、操作脚部３５ｂがばね受け部材３１の水平片３１ｂに係合し、回動支点部３１ｃを支点としてばね受け部材３１を回動させると共に、コイルばね３４を座屈変形させてブレーキ片３３ａの押圧を解除するようになっている。
【００３９】
一方、シャワーヘッドホルダ１１は、前方端が開口する上方に向かって拡開テーパ状のシャワーヘッド保持部４０と、シャワーヘッド保持部４０の後方端に設けられた挿通孔４１を介してシャワーヘッド保持部４０内に突出するシャワーヘッド係止部材４２とを具備している。
【００４０】
この場合、シャワーヘッドホルダ１１の後方端の両側は、両フック半体１３ａ，１３ｂに設けられた保持案内面１２ｂに沿って回動可能な凸状円弧に形成されると共に、波形状凹凸部４３が形成されている。また、シャワーヘッドホルダ１１の外側面には、ホルダ保持部１４の保持板１４ｂが挿入可能な凹溝４４が設けられると共に、凹溝４４の底部に保持板１４ｂに設けられた保持孔１４ｃに係合可能な係止突起４５ａ，４５ｂが突設されている。
【００４１】
なお、シャワーフック本体１０のホルダ保持部１４にシャワーヘッドホルダ１１を正確に取り付けるために、係止突起４５ａ，４５ｂの後方端に設けられる外傾斜面４５ｃ，４５ｄは傾斜角が異なっている。例えば、図６に示す平面図において上方側（シャワーフック本体１０に向かって右側）の係止突起４５ａの外傾斜面４５ｃの傾斜角度は、下方側（シャワーフック本体１０に向かって左側）の係止突起４５ｂの外傾斜面４５ｄの傾斜角度より小さく形成されている。
【００４２】
これに対して、両フック半体１３ａ，１３ｂのホルダ保持部１４の保持板１４ｂの前方側端部の内面には傾斜角度が異なる内傾斜面１９ｃ，１９ｄが形成されており、例えば、図６に示す平面図において上方側（シャワーヘッドホルダ１１に向かって左側）の内傾斜面１９ｃの傾斜角度は、下方側（シャワーヘッドホルダ１１に向かって右側）の内傾斜面１９ｄの傾斜角度より小さく形成されている。
【００４３】
上記のように、シャワーヘッドホルダ１１の係止突起４５ａ，４５ｂの外傾斜面４５ｃ，４５ｄとシャワーフック本体１０のホルダ保持部１４の保持板１４ｂの内傾斜面１９ｃ，１９ｄの傾斜角を異なる角度にすることによって、シャワーヘッドホルダ１１の向きが正しい場合は、図６に示すように、保持孔１４ｃと係止突起４５ａ，４５ｂが係合した状態で取り付けることができる。しかし、シャワーヘッドホルダ１１の向きが天地逆であると、図７に示すように、ホルダ保持部１４にシャワーヘッドホルダ１１を取り付けることができない。
【００４４】
また、シャワーヘッドホルダ１１に設けられた挿通孔４１に移動可能に挿通されるシャワーヘッド係止部材４２は、例えば、ポリアミド製部材にて形成されており、挿通孔４１内に挿入される係止突部４２ａと、シャワーヘッドホルダ１１における挿通孔４１の後方端側に設けられた凹所４６内に摺動可能に挿入される係止部材本体４２ｂが一体に形成されている。
【００４５】
また、シャワーヘッド係止部材４２の係止部材本体４２ｂの後方端側は、両フック半体１３ａ，１３ｂに設けられた保持案内面１２ｂに沿って回動可能な凸状円弧に形成されると共に、シャワーヘッドホルダ１１と同様の曲率の波形状凹凸部４２ｃが形成されている。このシャワーヘッド係止部材４２に設けられた波形状凹凸部４２ｃと、シャワーヘッドホルダ１１に向けられた波形状凹凸部４８に間欠的に係合する係合ピン４７を介して前方ばね受け部材４８が取り付けられている。この前方ばね受け部材４８の後方端には、コイルばね３４の前方端が係合する前方ばね受け係合突起４９が突設されている。
【００４６】
このように構成することによって、シャワーヘッドホルダ１１を段階的に調節して任意の角度に固定することができる。
【００４７】
上記のように、シャワーヘッドホルダ１１とシャワーヘッド係止部材４２に設けられた波形状凹凸部４３，４２ｃに間欠的に係合する係合ピン４７を介してシャワーヘッド係止部材４２の前方ばね受け部材４８とブレーキ片３３ａと一体のばね受け係合突起３３ｂとの間にコイルばね３４を介設した状態で、ホルダ保持部１４にシャワーヘッドホルダ１１を取り付ける。
【００４８】
このように構成することにより、シャワーヘッドホルダ１１を垂直方向の任意の角度に傾斜してシャワーヘッドを保持することができる。
【００４９】
上記カバー体２０は、シャワーバー２の外周面を抱持する後方半円筒部２１と、後方半円筒部２１の開口側前方端に延在してシャワーフック本体１０とシャワーヘッドホルダ１１を覆うと共に、シャワーフック本体１０に係脱可能な一対の腕部２２を具備している。
【００５０】
この場合、腕部２２の後方半円筒部２１側の対向する内面には、フック半体１３ａ，１３ｂの側片１５ｂのほぼ全高にわたって設けられた垂直溝１７ａに係合可能な縦係止爪部２３がほぼ全高にわたって突設され、縦係止爪部２３より前方端側の内面には、フック半体１３ａ，１３ｂの側片１５ｂに設けられた案内溝１７ｂ内に摺動可能に係合して係止凹部１７ｃに係合可能な係止爪部２４が突設されている。
【００５１】
この場合、縦係止爪部２３の前方側はやや傾斜して前端が低くなるように形成されており、腕部２２を開きすぎずに容易に垂直溝１７ａに係合することができる。上述したように、縦係止爪部２３と垂直溝１７ａがほぼ全高にわたって形成されることにより確実に係止することができる。また、係止爪部２４はフック状に形成されており、係止凹部１７ｃに係合した状態では外れにくくなっている。
なお、カバー体２０を取り外す際には、腕部２２をやや開くようにしつつ後方に引くことによって、縦係止爪部２３及び係止爪部２４の係合が解除されてカバー体２０を取り外すことができる。
【００５２】
また、後方半円筒部２１の内面に、シャワーバー２の外周面に当接可能な後方ブレーキ片２５と背当て部材２６が設けられている。
【００５３】
この場合、後方ブレーキ片２５は、表面にシャワーバー２の外周面に当接可能な凹状面２５ａを有し、裏面に、後方半円筒部２１の内面に突設された凹円弧状の保持突部２１ａに嵌合可能な嵌合溝２５ｂを有する合成ゴム製部材にて形成されている。
【００５４】
背当て部材２６は、例えばＡＢＳ樹脂製部材にて形成されており、半円筒状の本体２６ａの中央部に後方ブレーキ片２５が挿通可能な挿通窓２６ｂが設けられ、開口側の両側部には縦スリット２６ｃを介して後方ブレーキ片２５の凹状面２５ａの円弧の仮想曲線よりも内側に突出し、かつ、ブレーキ片３３ａの押圧により外側に弾性変形可能な離反用係止爪２６ｄが突設されている。また、背当て部材２６の本体２６ａの開口端には位置決め用の切欠き２６ｅが設けられており、この切欠き２６ｅがカバー体２０の後方半円筒部２１の内側に突設された位置決め用突起２１ｂに係合した状態で背当て部材２６がカバー体２０内に設けられる。
【００５５】
上記のように形成される背当て部材２６により、操作ボタン３５の押し込みによりブレーキ片３３ａが前方に移動した状態で、離反用係止爪２６ｄが内側に突出してシャワーバー２に当接することで、後方ブレーキ片２５がシャワーバー２から離れるように形成されている。
【００５６】
上記実施形態のシャワーフックによれば、シャワーフック本体１０の取付部１２をシャワーバー２に取り付けた状態で、カバー体２０の腕部２２の内面に設けられた係止爪部２４を、シャワーフック本体１０の外側面に設けられた案内溝１７ｂに沿って移動して係止凹部１７ｃに係合させることで、シャワーフック本体１０とカバー体２０をシャワーバー２に取り付けることができるので、既設のシャワーバー２に容易に取り付けることができる。
【００５７】
シャワーフックが静止された状態では、図５に示すように、コイルばね３４の付勢力によってブレーキ片３３ａと後方ブレーキ片２５とでシャワーバー２を挟持してロックするので、ロックを強固にすることができる。
【００５８】
シャワーフックのロックを解除する場合は、操作ボタン３５を押し込むことで、操作脚部３５ｂがばね受け部材３１の水平片３１ｂに係合し、回動支点部３１ｃを支点としてばね受け部材３１を回動させると共に、コイルばね３４が座屈変形してブレーキ片３３ａがシャワーバー２から離れてロック状態が解除される。したがって、ロックを確実にするためにコイルばね３４の付勢力を大きくしても、ロックを解除する時にはコイルばね３４を座屈変形させればよいので、コイルばね３４の付勢力より弱い力によって容易に操作できる。
【００５９】
また、ブレーキ片３３ａのシャワーバー側への付勢力と、シャワーヘッド係止部材４２のシャワーヘッドを保持する付勢力とを１つのコイルばね３４にて兼用することができるので、構成部材の削減が図れる。
【００６０】
なお、上記実施形態では、カバー体２０に後方ブレーキ片２５を設ける場合について説明したが、この発明に係るシャワーフックは、後方ブレーキ片２５を設けない構造にも適用でき、上述したように構成部材の削減が図れると共に、シャワーフックの高さ調整を容易に行うことができる。
【符号の説明】
【００６１】
１  シャワーフック
２  シャワーバー
１０  シャワーフック本体
１１  シャワーヘッドホルダ
１７ｂ  案内溝
１７ｃ  係止凹部
２０  カバー体
２１  後方半円筒部
２２  腕部
２４  係止爪部
２５  後方ブレーキ片
２６  背当て部材
２６ｄ  離反用係止爪
３０  ロック機構
３１  ばね受け部材
３１ａ  垂直片
３１ｂ  水平片
３１ｃ  回動支点部
３２  挿通孔
３３ａ  ブレーキ片
３３ｂ  ばね受け係止突起
３４  コイルばね（ばね部材）
３５  操作ボタン
３５ｂ  操作脚部
４０  シャワーヘッド保持部
４１  挿通孔
４２  シャワーヘッド係止部材
４８  前方ばね受け部材
４９  前方ばね受け係合突起
【図１】
2018021381.tif 000003
【図２】
2018021381.tif 000004
【図３】
2018021381.tif 000005
【図３Ａ】
2018021381.tif 000006
【図４】
2018021381.tif 000007
【図５】
2018021381.tif 000008
【図６】
2018021381.tif 000009
【図７】
2018021381.tif 000010